(57)【要約】【課題】第１ローラを回転する駆動モータを用いて、被記録材を挟むニップ力の大きさ切り替え、被記録材を搬送方向の上流側に戻すときにニップ力を小さくし、解除部材によって被記録材のニップ状態の解除を可能にする。【解決手段】ＬＦローラ３にピンチローラ４を押圧させるねじりコイルばね９と、ニップ状態を解除するためのニップ解除レバー１３と、ねじりコイルばね９がホルダ１１を付勢する付勢力を切り替える切り替えカム８と、駆動モータ１によって回転されるＬＦローラ３に連動して切り替えカム８を作動させる第１ギア５、第２ギア６、第３ギア７と、を備える。また、用紙１２に記録を行っているときに用紙１２を搬送する順方向に回転するＬＦローラ３と第１ギア５とを連動させない非連動状態と、順方向とは逆方向に回転するＬＦローラ３と第１ギア５とを連動させる連動状態とに切り替えるワンウエイクラッチ１４を備える。【選択図】図３
2013014397.tif 000002
【特許請求の範囲】
【請求項１】
被記録材を挟んで搬送する第１ローラ及び第２ローラと、
前記第１ローラを回転する駆動モータと、
前記第１ローラに対して接離する方向に前記第２ローラを移動可能に支持するローラ支持部材と、
前記第１ローラに前記第２ローラを押圧させる方向に前記ローラ支持部材を付勢する付勢部材と、
前記付勢部材の付勢力に抗して前記ローラ支持部材を移動させ、前記第１ローラと前記第２ローラとの間に被記録材を挟んだニップ状態を解除するための解除部材と、
前記付勢部材に当接する状態が変化することによって、前記付勢部材が前記ローラ支持部材を付勢する付勢力を切り替える切り替え部材と、
前記駆動モータによって回転される前記第１ローラに連動して前記切り替え部材を作動させる駆動伝達機構と、
被記録材に記録を行っているときに被記録材を搬送する順方向に回転する前記第１ローラと前記駆動伝達機構とを連動させない非連動状態と、前記順方向とは逆方向に回転する前記第１ローラと前記駆動伝達機構とを連動させる連動状態とに切り替えるクラッチ手段と、を備える搬送装置。
【請求項２】
前記第１ローラが前記順方向に回転するときに、前記付勢部材の付勢力によって前記第１ローラと前記第２ローラとの間に所定のニップ力で被記録材を挟み、
前記第１ローラを前記逆方向に回転するときに、前記切り替え部材が、前記付勢部材の付勢力を変化させ、前記所定のニップ力よりも小さいニップ力で被記録材を挟む、請求項１に記載の搬送装置。
【請求項３】
前記駆動伝達機構と前記切り替え部材とを連動させる連動状態と、前記駆動伝達機構と前記切り替え部材とを連動させない非連動状態とに切り替える、他のクラッチ手段を備え、
搬送方向に対する被記録材の斜行を補正する動作時において、被記録材を所定量だけ搬送するときに前記所定のニップ力よりもニップ力を小さくすると共に、前記所定量だけ搬送した後に被記録材を記録開始位置まで戻すときに前記他のクラッチ手段によって前記非連動状態に切り替えられ、前記所定のニップ力よりも小さいニップ力に保つ、請求項２に記載の搬送装置。
【請求項４】
被記録材を供給する供給部に被記録材を配置する場合、前記第１ローラと前記第２ローラとの間に被記録材の搬送方向の先端が挟まれる前に、前記切り替え部材が、前記所定のニップ力で被記録材を挟むように、前記付勢部材の付勢力を変化させ、
前記第１ローラと前記第２ローラとの間に被記録材を挟んだニップ状態で前記ニップ力の大きさを切り替える場合は、前記第１ローラが前記逆方向に回転することで前記ニップ力が切り替わると共に被記録材が搬送方向の上流側に戻され、その後、前記第１ローラが順方向に回転することによって被記録材の搬送方向の先端が所定の記録開始位置に戻される、請求項２に記載の搬送装置。
【請求項５】
前記切り替え部材は、被記録材の種類または外形寸法に応じて、前記ニップ力の大きさを３段階以上に切り替える、請求項１ないし４のいずれか１項に記載の搬送装置。
【請求項６】
前記切り替え部材は、前記駆動伝達機構によって回転されるカムであり、
前記付勢部材は、一端が前記ローラ支持部材に当接されると共に他端が前記カムに当接されたねじりコイルばねである、請求項１ないし５のいずれか１項に記載の搬送装置。
【請求項７】
前記第１ローラは、被記録材が配置された供給部から供給された被記録材を搬送する搬送ローラである、請求項１ないし６のいずれか１項に記載の搬送装置。
【請求項８】
前記第１ローラは、被記録材が配置された供給部から被記録材を供給する給送ローラである、請求項１ないし６のいずれか１項に記載の搬送装置。
【請求項９】
請求項１ないし８のいずれか１項に記載の搬送装置と、前記搬送装置によって搬送された被記録材に液体を吐出して記録を行う記録手段と、を備える記録装置。
【請求項１０】
被記録材に記録された画像を測色する測色手段を備え、
前記測色手段によって、被記録材に記録された画像の測色を行うとき、前記搬送装置は、被記録材に記録を行っているときに被記録材を搬送する前記第１ローラと前記第２ローラとの間に被記録材を挟む所定のニップ力よりもニップ力を小さくする、請求項９に記載の記録装置。
【発明の詳細な説明】
【技術分野】
【０００１】
本発明は、一対のローラによって被記録材を挟んで搬送する搬送装置、及び被記録材に液体を吐出して記録を行う記録装置に関する。
【背景技術】
【０００２】
特許文献１には、使用する用紙の厚みにかかわらずに、厚みが異なる様々な用紙を搬送可能な技術が開示されている。
【０００３】
特許文献１に記載の構成では、搬送ローラとピンチローラとの間に挟む用紙の厚みに応じて、搬送ローラに対するピンチローラの位置を切り替えることによって、厚みが異なる種々の用紙を搬送可能に構成されている。
【先行技術文献】
【特許文献】
【０００４】
【特許文献１】米国特許７，５０６，８７０号公報
【発明の概要】
【発明が解決しようとする課題】
【０００５】
上述したように、特許文献１に記載の構成は、厚みが同一の用紙を搬送するときに用紙のニップ力を切り替えることを主の目的とするものではなく、かつ、搬送ローラとニップローラによって用紙が挟まれたニップ状態を手動で解除することができない。
【０００６】
特許文献１に記載の構成では、フェイルセーフの観点から、用紙詰まりが発生したときに電源が強制的に「オフ」にされている。しかし、このような場合には、用紙のニップ状態を手動で解除して、用紙詰まりを起こしている用紙を取り除くことができないという問題がある。用紙詰まりが発生した場合には、手動で用紙を取り除くことで、迅速に復旧することが可能になるので、用紙のニップ状態を手動で解除できるように構成することが望ましい。
【０００７】
また、搬送方向とは逆方向に用紙を搬送する場合には、搬送ローラとピンチローラとの間に挟まれた用紙が、ニップ力によって損傷するおそれがあり、ニップ力を小さくすることが望ましい。
【０００８】
そこで、本発明は、上述した課題のいずれかを解決し、被記録材を搬送方向と逆方向に搬送するときにニップ力を小さく切り替えることを可能にし、解除部材によって被記録材のニップ状態を解除することができる搬送装置及び記録装置を提供することを目的とする。
【課題を解決するための手段】
【０００９】
上述した目的を達成するため、本発明に係る搬送装置は、被記録材を挟んで搬送する第１ローラ及び第２ローラと、第１ローラを回転する駆動モータと、第１ローラに対して接離する方向に第２ローラを移動可能に支持するローラ支持部材と、第１ローラに第２ローラを押圧させる方向にローラ支持部材を付勢する付勢部材と、付勢部材の付勢力に抗してローラ支持部材を移動させ、第１ローラと第２ローラとの間に被記録材を挟んだニップ状態を解除するための解除部材と、付勢部材に当接する状態が変化することによって、付勢部材がローラ支持部材を付勢する付勢力を切り替える切り替え部材と、駆動モータによって回転される第１ローラに連動して切り替え部材を作動させる駆動伝達機構と、を備える。また、被記録材に記録を行っているときに被記録材を搬送する順方向に回転する第１ローラと駆動伝達機構とを連動させない非連動状態と、順方向とは逆方向に回転する第１ローラと駆動伝達機構とを連動させる連動状態とに切り替えるクラッチ手段を備える。
【発明の効果】
【００１０】
本発明によれば、第１ローラを回転する駆動モータを、ニップ力の大きさを切り替えるための駆動力として利用することによって、駆動モータを増やすことなくニップ力の大きさを切り替えることができる。また、被記録材の交換時や、被記録材が搬送径路上に詰まったときなどは、解除部材によって第２ローラを第１ローラから退避させて、第１ローラと第２ローラとの間から被記録材を取り除くことができる。したがって、本発明によれば、安価な構成でニップ力を切り替えることが可能になり、被記録材の交換時の作業が容易になり、搬送径路上に被記録材が詰まった場合などの異常状態が発生したときに容易に復帰することが可能になる。
【図面の簡単な説明】
【００１１】
【図１】実施形態のインクジェット記録装置全体を示す斜視図である。
【図２】実施形態のインクジェット記録装置の内部構造を示す斜視図である。
【図３】実施形態において、所定のニップ力よりも小さいニップ力に切り替えられた状態を示す側面図である。
【図４】実施形態において、所定のニップ力に切り替えられた状態を示す側面図である。
【図５】実施形態において、ニップ力を解除した状態を示す側面図である。
【図６】実施形態における搬送部が、ニップ力を切り替える動作を説明するために示す側面図である。
【図７】実施形態における搬送部が、用紙の先端を頭出しする動作を説明するために示す側面図である。
【図８】実施形態において、ニップ力を制御する処理を説明するためのフローチャートである。
【発明を実施するための形態】
【００１２】
以下、本発明の具体的な本実施形態について、図面を参照して説明する。
【００１３】
まず、図１及び図２を参照して、本実施形態のインクジェット記録装置の全体と、内部構成の概略構成について説明する。
【００１４】
図１に示すように、インクジェット記録装置（以下、記録装置）は、被記録材としてのロール紙１２（以下、用紙１２と称する）を回転可能に保持し、用紙１２を給紙する供給部としての給紙部１０１を備える。記録装置は、給紙部１０１から給紙された用紙１２を搬送する搬送装置としての搬送部１０３と、搬送部１０３から搬送された用紙１２を支持しながら用紙１２に液体であるインクを吐出して記録を行う記録手段としての記録部１０６と、を備える。また、記録装置は、画像が記録された用紙１２を装置外に排出するための排紙部１０４と、記録画像の仕様設定を行うための操作部１０７と、を備える。
【００１５】
給紙部１０１は、ロール状の用紙１２を送り出す給送ローラとしての一対の給紙ローラを備える。搬送部１０３は、記録動作時に用紙１２を所定量ずつ搬送するための第１ローラとしての搬送ローラであるＬＦ（ラインフィード）ローラ３と、ＬＦローラ３に所定の加圧力で付勢しながら従動回転する第２ローラとしての複数のピンチローラ４と、を備える。記録部１０６は、用紙１２を吸引しながら平面状に保持するためのプラテン１１０と、記録ヘッド１１１を保持し、搬送方向Ｙに直交する走査方向Ｘに往復走査するキャリッジ１０２と、を備える。
【００１６】
図２に示すように、記録装置の内部には、支持体１１２が設けられており、この支持体１１２上にプラテン１１０が配置され、記録部１０６上の搬送方向Ｙの上流側に用紙１２を搬送する搬送部１０３が形成されている。
【００１７】
プラテン１１０は、記録部１０６において、記録ヘッド１１１と記録部１０６上の用紙１２との間に所定の隙間を形成するように用紙１２を案内支持する。本実施形態におけるプラテン１１０は、用紙１２を案内するプラテン１１０の支持面に用紙１２を吸着させることができる吸引プラテンとして構成されている。このプラテン１１０は、内部に密閉空間を構成する支持体１１２の上面に支持され、この密閉空間とプラテン１１０の吸引口とが連通されている。本実施形態における吸引力発生部は、この支持体１１２の右端部に配置された吸引ファンを有する吸引ファンユニット１１４によって構成されている。
【００１８】
さらに、支持体１１２の長手方向に沿って延設されたメインレール（図示せず）に、主走査方向Ｘに往復移動するキャリッジ１０２が支持されている。搬送方向Ｙにおける本体正面側（副搬送方向の上流側）から見て用紙１２の右端部を基準側１１５ａ、左端部を反基準側１１５ｂとする。そして、記録ヘッド１１１が搭載されたキャリッジ１０２は、基準側１１５ａと反基準側１１５ｂとの間を往復移動して、プラテン１１０上に支持された用紙１２に、記録ヘッド１１１からインクを吐出して記録を行う。
【００１９】
次に、図３〜図７を参照して、本実施形態の記録装置の搬送装置を説明する。
【００２０】
本実施形態について、図面を参照して説明する。なお、以下に説明する実施形態では、本発明を限定するものではなく、また実施形態で説明されている特徴の組み合わせの全てが本発明を解決するために必須であることを限定するものではない。
【００２１】
図３に、所定のニップ力よりも小さいニップ力に切り替えられた状態の側面図を示す。
【００２２】
図３に示すように、搬送装置としての搬送部１０３は、ＬＦローラ３及びピンチローラ４と、ＬＦローラ３を駆動するベルト２ａ及びプーリ２ｂを有する駆動機構２と、駆動機構２を介してＬＦローラ３を回転する駆動モータ１と、を備える。駆動モータ１は、制御部２０に電気的に接続されており、制御部２０によって駆動制御される。
【００２３】
また、搬送部１０３は、ＬＦローラ３に対して接離する方向にピンチローラ４を移動可能に支持するローラ支持部材としてのホルダ１１と、ホルダ１１を付勢してピンチローラ４をＬＦローラ３に押圧するための付勢部材としてのねじりコイルばね９と、を備える。また、搬送部１０３は、ＬＦローラ３とピンチローラ４とで用紙１２が挟まれたニップ状態の解除を行う解除部材としてのニップ解除レバー１３を備える。
【００２４】
ホルダ１１は、中央部が回転軸１１ａに支持されており、一端部にピンチローラ４が回転自在に設けられている。ねじりコイルばね９は、一端がホルダ１１に当接されて設けられている。ニップ解除レバー１３は、一端部が回転軸１３ａに支持されており、後述するニップ解除カム１０が、ニップ解除レバー１３の一端部に固定されている。ニップ状態の解除を行うときに、ニップ解除レバー１３を手動で回動させることによって、ニップ解除カム１０がホルダ１１を回転させ、ピンチローラ４をＬＦローラ３から退避させる。
【００２５】
また、搬送部１０３は、ねじりコイルばね９に当接する状態が変化することによって、ホルダ１１を付勢するねじりコイルばね９の付勢力を切り替える切り替え部材としての切り替えカム８を備える。また、搬送部１０３は、駆動モータ１によって回転されるＬＦローラ３に連動してニップ力を切り替える切り替えカム８を作動させる駆動伝達機構としての第１ギア５、第２ギア６、第３ギア７を備える。
【００２６】
切り替えカム８は、回転軸８ａに支持されており、ねじりコイルばね９の他端部に当接されて配置されている。第１ギア５は、ＬＦローラ３の回転軸（不図示）に設けられている。第２ギア６は、第１ギア５に噛み合わされて回転自在に支持されている。第３ギア７は、第２ギア６に噛み合わされて、切り替えカム８の回転軸８ａに支持されている。
【００２７】
また、搬送部１０３は、ＬＦローラ３が順方向とは逆方向に回転するときのみニップ力を切り替える切り替えカム８を作用させるクラッチ手段としてのワンウエイクラッチ１４を有する。
【００２８】
ワンウエイクラッチ１４は、ＬＦローラ３の回転軸に設けられている。ワンウエイクラッチ１４は、回転するＬＦローラ３と第１ギア５とを連動させない非連動状態と、回転するＬＦローラ３と第１ギア５とを連動させる連動状態とに切り替える。ワンウエイクラッチ１４は、記録部１０６によって用紙１２に記録を行っているときに用紙１２を搬送する順方向にＬＦローラ３が回転する場合、回転するＬＦローラ３と第１ギア５とを連動させずに非連動状態になる。また、ワンウエイクラッチ１４は、ＬＦローラ３が順方向とは逆方向に回転する場合、回転するＬＦローラ３と第１ギア５とを連動させることで連動状態になる。
【００２９】
ＬＦローラ３が順方向とは逆方向に回転するときに、ワンウエイクラッチ１４によってＬＦローラ３と第１ギア５が連結されることで、第１ギア５から第３ギア７までが連結駆動される。第３ギア７が回転することで切り替えカム８が回転し、切り替えカム８の回転に伴って、切り替えカム８がねじりコイルばね９に当接する状態が変化する。これによって、ホルダ１１を付勢するねじりコイルばね９の付勢力が切り替えられ、ピンチローラ４によるニップ力の大きさが切り替えられる。
【００３０】
また、切り替えカム８の回転軸８ａには、第３ギア７と切り替えカム８とを連動させる連動状態と、第３ギア７と切り替えカム８とを連動させない非連動状態とに切り替える、他のクラッチ手段としての電磁クラッチ１６が設けられている。電磁クラッチ１６は、制御部２０によって制御されている。電磁クラッチ１６を制御することによって、搬送方向に対する用紙１２の斜行の補正時に用紙１２を所定量だけ送り出すときと、その後、用紙１２の先端を記録開始位置まで巻き戻すときに、所定のニップ力よりもニップ力を小さくする。また、用紙１２の先端が記録開始位置まで戻した後、記録開始時には、電磁クラッチ１６を制御することによって、所定のニップ力に戻す。
【００３１】
用紙１２の斜行補正時には、記録開始位置を越えて搬送された用紙１２の先端を、記録開始位置まで巻き戻すときに、ＬＦローラ３が逆転することになる。このとき、逆転するＬＦローラ３に連動して回転する第３のギア７によって切り替えカムが回転した場合、切り替えカム８の回転に伴ってニップ力が変動し、ニップ力が切り替わってしまう。このため、斜行補正時に用紙１２の先端を記録開始位置まで巻き戻すときに、電磁クラッチ１６によって第３ギア７と切り替えカム８とが連動しない非連動状態に切り替えられる。これによって、斜行補正時に用紙１２の先端を記録開始位置まで巻き戻すときに、第３ギア７が空回りし、第３ギア７によって切り替えカム８が回転されず、ニップ力が変動しないように構成されている。つまり、斜行補正時に用紙１２の先端が記録開始位置まで搬送されるまで、電磁クラッチ１６によって非連動状態に切り替えられ、所定のニップ力よりも小さいニップ力に保たれている。
【００３２】
上述のようにニップ力を切り替えることで、用紙１２の斜行補正時などにＬＦローラ３とピンチローラ４によって用紙１２を複数回挟み込むことに伴う用紙１２への負荷が低減される。
【００３３】
また、搬送部１０３に用紙１２を供給する給紙部１０１は、図３に示すように、一対の給紙ローラ１５が、ＬＦローラ３に対して搬送方向の上流側に配置されている。
【００３４】
切り替えカム８は、用紙１２の材質、仕様等の種類、または外形寸法に応じて、ニップ力の大きさを３段階以上に切り替える。切り替えカムの外形に応じて、切り替えカムがねじりコイルばねの端部に当接する状態が複数段階で変化するように構成することで、ニップ力を複数段階で容易に切り替えることができる。
【００３５】
図４に、ニップ力が大きい所定のニップ力に切り替えられた状態の側面図を示す。
【００３６】
図４に示すように、記録部１０６によって用紙１２に記録を行う場合、予め、ＬＦローラ３が逆方向に回転することで、ワンウエイクラッチ１４によってＬＦローラ３と第１ギア５とが連動され、第１ギア５から第３ギア７までが連結駆動される。第３のギア７が回転することによって、切り替えカム８を回転させ、切り替えカム８の回転に伴って用紙１２のニップ力を変化させ、所定のニップ力に切り替える。
【００３７】
続いて、ＬＦローラ３が順方向に回転するときに、ワンウエイクラッチ１４によってＬＦローラ３と第１ギア５とが連動されず、第１ギア５から第３ギア７までが連結駆動されない。これによって、ＬＦローラ３の回転に伴って、所定のニップ力で用紙１２が搬送される。
【００３８】
図５に、ニップ状態を解除した状態の側面図を示す。図５に示すように、ニップ状態の解除を行うニップ解除レバー１３によって、ホルダ１１が回動され、ピンチローラ４がＬＦローラ３から退避される。用紙１２の紙詰まり時などの異常事態には、手動操作レバーであるニップ解除レバー１３を操作することによって、ＬＦローラ３からピンチローラ４を退避させることができる。これにより、ピンチローラ４とＬＦローラ３との間から用紙１２を容易に取り除くことが可能になり、異常状態から容易に復帰することができる。
【００３９】
図６に、ニップ力を切り替える動作を説明するための側面図を示す。
【００４０】
図６に示すように、ＬＦローラ３が順方向とは逆方向に回転するときに、ワンウエイクラッチ１４によってＬＦローラ３と第１ギア５とが連結され、第１ギア５から第３ギア７までが連動されることによって、切り替えカム８を回転させる。切り替えカム８の回転に伴って、切り替えカム８がねじりコイルばね９に当接する状態が変化する。これによって、ホルダ１１を付勢するねじりコイルばね９の付勢力が切り替えられ、ピンチローラ４によるニップ力の大きさが切り替えられる。その結果、図３に示したように、所定のニップ力よりもニップ力が小さい状態に切り替えられる。
【００４１】
図７に、用紙１２の先端を頭出しする動作を説明するための側面図を示す。
【００４２】
用紙１２を給紙部１０１にセットするときは、ニップ位置で用紙１２の先端が挟持される前にニップ力を所定の力に予め切り替えておく。また、ピンチローラ４とＬＦローラ３の間に用紙１２が挟持されている状態でニップ力を切り替える場合、ＬＦローラ３が逆方向に回転することで、所定のニップ力よりも小さいニップ力に切り替わり、用紙１２の搬送方向とは逆方向に用紙１２が戻される。続いて、ＬＦローラ３を順方向に回転することによって用紙１２の先端が記録開始時の所定の位置に戻され、用紙１２が頭出しされる。
【００４３】
搬送部１０３のＬＦローラ３とピンチローラ４によるニップ力を制御する処理について、図８を参照して説明する。
【００４４】
図８に示すように、キャリッジ１０２がホームポジションに移動した後、初期化動作を開始し（ステップ５１）、ＬＦ及びＰＥ（ペーパエンド）センサ（不図示）によって用紙の有無を判定する（ステップ５２）。ステップ５２に示すように、用紙が有る場合にはステップ５３に移行し、用紙が無い場合にはステップ５４に移行する。用紙が無い場合には、ＬＦローラ３の初期化動作を行う（ステップ５４）。用紙が有る場合には、その用紙がロール紙かカット紙であるかを判定する（ステップ５３）。用紙がロール紙である場合にはステップ５６に移行し、用紙がカット紙である場合にはステップ５５に移行する。
【００４５】
用紙がカット紙である場合には、カット紙の排紙シーケンスを行い、カット紙を排出する（ステップ５５）。用紙がロール紙である場合には、用紙の設定が小さいニップ力（弱ニップ）であるか、大きいニップ力（強ニップ）であるか判定する（ステップ５６）。ステップ５６において用紙の設定が弱ニップである場合には、ステップ５７に移行し、ニップ状態の用紙のニップ力が小さいか否かを判定する。ニップ状態の用紙のニップ力が小さく、ニップ力が設定された通りである場合には、ロール紙の斜行（蛇行）を補正するシーケンスを開始する（ステップ５８）。ニップ状態の用紙のニップ力が大きく、ニップ力が設定と異なる場合には、ニップ力の大きさの切り替えるために切り替えシーケンスを開始し、ニップ力を切り替えた後、ステップ５８に移行する。
【００４６】
また、ステップ５６において用紙の設定が強ニップである場合には、ステップ６０に移行し、ニップ状態の用紙のニップ力が大きいか（所定のニップ力であるか）否かを判定する。ニップ状態の用紙のニップ力が大きく、ニップ力が設定された通りである場合には、ロール紙の蛇行を補正するシーケンスを開始する（ステップ５８）。ニップ状態の用紙のニップ力が小さく、ニップ力が設定と異なる場合には、ニップ力の大きさの切り替えるために切り替えシーケンスを開始し、ニップ力を切り替えた後、ステップ５８に移行する。
【００４７】
上述したように、本実施形態の記録装置によれば、ＬＦローラ３を回転する駆動モータを、ニップ力の大きさを切り替えるための駆動力として利用することによって、駆動モータ１を増やすことなくニップ力の大きさを切り替えることができる。また、用紙１２を取り外す交換時や、用紙１２が搬送径路上に詰まったときなどは、解除部材を手動で操作することによって、ピンチローラ４をＬＦローラ３から退避させて、ピンチローラ４とＬＦローラ３との間から用紙１２を取り除くことができる。したがって、本発明によれば、安価な構成でニップ力を切り替えることが可能になり、用紙１２の交換時の作業が容易になり、搬送径路上に用紙１２が詰まった場合などの異常状態が発生したときに容易に復帰することが可能になる。
【００４８】
また、用紙１２の搬送方向に対する斜行補正時において、用紙１２を所定量送り出し、その後、用紙１２を記録開始位置まで巻き戻すときには、ニップ力を小さくし、記録開始時に所定のニップ力に戻される。これによって、斜行補正時に、用紙１２を複数回挟み込むことに伴う用紙１２への負荷を低減し、用紙１２の損傷を防ぐことができる。
【００４９】
また、本実施形態では、搬送部１０３のＬＦローラ３とピンチローラ４によって用紙１２を挟むニップ力を切り替えるように構成されたが、給紙部１０１の一対の給紙ローラ１５に適用されてもよい。この構成の場合にも、一対の給紙ローラ１５によって用紙１２を挟むニップ力を切り替えることで、上述した実施形態と同様の効果が得られる。加えて、本発明に係る搬送装置は、搬送部１０３と給紙部１０１の両方に適用されてもよく、用紙の搬送動作の必要に応じてニップ力の大きさを切り替えることで、用紙１２の損傷を更に良好に防ぐことができる。
【００５０】
また、本実施形態の記録装置は、図示しないが、測色手段としての測色部を備え、搬送部１０３によって搬送された用紙１２に記録されている画像を測色することが可能に構成されている。測色部によって用紙１２に記録された画像を測色するとき、比較的大きなニップ力である所定のニップ力で用紙１２を挟むことを避ける場合には、測色を行う用紙１２を給紙部１０１にセットする前に予め、切り替えカム８によってニップ力が小さくされる。
【００５１】
なお、本発明は、ロール状の被記録材を搬送する搬送装置に限定されるものではなく、カット紙を搬送する搬送装置に適用されてもよい。また、本発明は、搬送装置や、インクジェット記録装置に限定されるものではなく、例えばファクシミリ装置、複写機等の他の装置に用いられて好適である。
【符号の説明】
【００５２】
１  駆動モータ
３  ＬＦローラ
４  ピンチローラ
５  第１ギア
６  第２ギア
７  第３ギア
８  切り替えカム
９  ねじりコイルばね
１１  ホルダ
１２  用紙
１３  ニップ解除レバー
１４  ワンウエイクラッチ
１０３  搬送部
【図１】
2013014397.tif 000003
【図２】
2013014397.tif 000004
【図８】
2013014397.tif 000005
【図３】
2013014397.tif 000006
【図４】
2013014397.tif 000007
【図５】
2013014397.tif 000008
【図６】
2013014397.tif 000009
【図７】
2013014397.tif 000010